(57)【特許請求の範囲】
【請求項１】
基板に実装されるコネクタのハウジングを前記基板に取り付けると共に、前記ハウジングから突出して取り付けられ前記基板に形成された取付け穴に挿入される３つ以上の脚体と、
前記脚体の先端部に設けられ前記取付け穴の周縁に係止される爪部と、
前記脚体の基端部に形成され、前記脚体の前記取付け穴への挿入方向とは異なる方向において相互に組み合わされて前記脚体同士を結合させる結合部と、
を備えることを特徴とするコネクタ固定具。
【発明の詳細な説明】
【技術分野】
【０００１】
本発明は、基板に実装されるコネクタを基板に固定するためのコネクタ固定具に関する。
【背景技術】
【０００２】
プリント配線板等の基板に実装されるコネクタを基板に固定するために、コネクタ固定用金具が用いられている。コネクタ固定用金具は、ハウジングから突出した脚体の先端部に形成された爪部を基板の取付け穴に挿入し取付け穴の周縁に爪部を係止させ、ハウジングを基板に仮止めするようになっている。そして、取付け穴の周縁に係止させた爪部を基板にはんだ付けすることで、ハウジングが基板に固定されるようになっている。
【特許文献１】実開昭６３−１９９４７３号公報
【発明の開示】
【発明が解決しようとする課題】
【０００３】
しかしながら、このコネクタ固定用金具には、爪部が２つしかないため、コネクタを基板へ固定する強度が低い。このため、大きな負荷がかかるコネクタは別途基板へネジ止めする必要があり、実装工程での工数が増えていた。
【０００４】
本発明は、上記事実を考慮して、コネクタを基板に十分な強度で固定することができるコネクタ固定具を得ることを課題とする。
【課題を解決するための手段】
【０００５】
本発明の請求項１に係るコネクタ固定具は、基板に実装されるコネクタのハウジングを前記基板に取り付けると共に、前記ハウジングから突出して取り付けられ前記基板に形成された取付け穴に挿入される３つ以上の脚体と、前記脚体の先端部に設けられ前記取付け穴の周縁に係止される爪部と、前記脚体の基端部に形成され、前記脚体の前記取付け穴への挿入方向とは異なる方向において相互に組み合わされて前記脚体同士を結合させる結合部と、を備えることを特徴とする。
【０００６】
上記構成によれば、コネクタのハウジングを基板に取り付けるためのコネクタ固定具には、基板の取付け穴へ挿入される３つ以上の脚体が設けられている。この脚体の先端部にはそれぞれ爪部が設けられている。すなわち、３つの以上の爪部が取り付け穴の周囲に係止されるため、従来の２つの爪部で固定するのと比較すると、ハウジングを基板に仮止めする強度が増す。また、はんだと爪部の接合面積が増えるため、コネクタのハウジングを基板に十分な強度で固定することができる。
【０００８】
さらに、脚体の結合部同士を結合させることで、先端部に爪部が形成された脚体の数を複雑な加工をすることなく増やすことができる。
【発明の効果】
【０００９】
本発明のコネクタ固定具によれば、コネクタのハウジングを基板に十分な強度で固定することができる。
【発明を実施するための最良の形態】
【００１０】
本発明のコネクタ固定具１０が採用されたコネクタ３０の実施形態について、図１〜図７に従って説明する。なお、コネクタの開口方向を前方向として矢印Ａ、基板にコネクタが載置される方向を上方向として矢印Ｂとして説明する。
【００１１】
図７（Ａ）及び（Ｂ）に示されるように、コネクタ３０は、相手側のコネクタと嵌合する開口部（図示省略）を有する略矩形箱状のハウジング３２を備えている。また、開口部の上下左右の縁部は、天板１６、底板１８、左右一対の側板２０によって構成されている。さらに、天板１６、底板１８、及び左右一対の側板２０は、開口部とは反対側の後端部で背板２３によって互いに連結されている。これにより、ハウジング３２が箱状に形成されている。
【００１２】
また、背板２３には、その面上にベース板２４が取り付けられ、ベース板２４から、複数の下端コネクタ端子２６Ａ及び上端コネクタ端子２６Ｂが外部へと延びて設けられている。
【００１３】
さらに、このハウジング３２の側板２０には、図５に示されるように、側方から見て、上端が屈曲したコネクタ固定具１０が圧入によって取付けられている。つまり、コネクタ固定具１０は、基端部が側板２０に固定されている。
【００１４】
図１〜図４に示されるように、コネクタ固定具１０は、２部品を結合させることで形成されている。
【００１５】
コネクタ固定具１０を構成する第一固定具１２は、平板パネルを打ち抜いて成形され、全体形状が略Ｌ字とされている。基部１２Ｈには前後方向に延びるスリット１２Ａが切り込まれている。また、基部１２Ｈから下方へは、スリット１２Ｂによって二つに分けられた脚体１２Ｅが延設され、脚体１２Ｅは互いに接近する方向に弾性変形可能とされている。
【００１６】
さらに、脚体１２Ｅの先端部には、基板２２に設けられた取付け穴２２Ａ（図７（Ａ）参照）の周縁に係止される爪部１２Ｆが設けられている。この爪部１２Ｆが取付け穴２２Ａに係止されることでコネクタ３０は基板２２に仮止めされる。
【００１７】
詳細には、爪部１２Ｆは、外側へ突出した形状とされており、さらに爪部１２Ｆの上面には、斜め下側へ延びるテーパー面１２Ｇが設けられている。また、このテーパー面１２Ｇと連結して下側へ向って、狭巾とされたガイド面１２Ｌ形成されている。
【００１８】
図６（Ａ）に示されるように、脚体１２Ｅを取付け穴２２Ａに挿入するとガイド面１２Ｌが穴壁に当り、脚体１２Ｆを互いに接近させ、取付け穴２２Ａを貫通すると脚体１２Ｆが弾性復帰してテーパー面１２Ｇが取付け穴２２の周縁に係止される。これにより、脚体１２Ｅは基板２２に仮止めされる。
【００１９】
さらに、図４には、第一固定具１２と同様にコネクタ固定具１０を構成する第二固定具１４が示されている。この第二固定具１４は、平板パネルを打ち抜いて板厚方向に略直角に折り曲げられており、全体形状が上向面１４Ａを備えた略Ｌ字とされている。上向面１４Ａには、後端部が開放した前後方向に延びるスリット１４Ｂが切り込まれている。また、上向面１４Ａから下方へは、スリット１４Ｂの延長上に設けられたスリット１４Ｃによって二つに分けられた脚体１４Ｅが延設され、脚体１４Ｅは互いに接近する方向に弾性変形可能とされている。
【００２０】
さらに、脚体１４Ｅの先端部には、基板２２に設けられた取付け穴２２Ａ（図７参照）の周縁に係止される爪部１４Ｆが設けられている。この爪部１４が取付け穴２２Ａに係止されることでコネクタ３０は基板２２に仮止めされる。
【００２１】
詳細には、爪部１４Ｆは、外側へ突出した形状とされており、さらに爪部１４Ｆの上面には、斜め下側へ延びるテーパー面１４Ｇが設けられている。また、このテーパー面１４Ｇと連結して下側へ向って、狭巾とされたガイド面１４Ｌ形成されている。脚体１４Ｅを取付け穴２２Ａ（図７参照）に挿入するとガイド面１４Ｌが穴壁に当り、脚体１４Ｆを互いに接近させ、取付け穴２２Ａを貫通すると脚体１４Ｆが弾性復帰してテーパー面１４Ｇが取付け穴２２の周縁に係止される。これにより、脚体１４Ｅは基板２２に仮止めされる。
【００２２】
図１及び図２に示されるように、スリット１４Ｂへスリット１２Ａをはめ込んで第一固定具１２と第二固定具１４を結合させると脚体１２Ｅ及び脚体１４Ｅは互いに直交し、爪部は２方向に配置される。このため、従来のように一方向だけで固定するのと比較すると、捩れに対して強くなっている。また、従来の２点で係止させるのと比較すると、４点で係止させているためコネクタ固定具１０の基板へ固定する強度が２倍になっている。
【００２３】
さらに、基板２２の下面と接するテーパー面１２Ｇ、１４Ｇが斜め下側に延びているため、基板２２の厚さバラツキを吸収できる。
【００２４】
また、第一固定具１２と第二固定具１４の２部品を結合させることで、４つの脚体１２Ｅ、１４Ｅが設けられているため、一つの部品に４つの脚体を加工するのと比較すると複雑な加工をすることなく４つの脚体１２Ｅ、１４Ｅと４つの爪部１２Ｆ、１４Ｆを設けることができる。
【００２５】
以下、コネクタ３０の基板２２への取付けについて説明する。
【００２６】
まず、図６（Ａ）に示されるように、コネクタ３０に設けられたコネクタ固定具１０を基板２２に設けられた取付け穴２２Ａに挿入する。この挿入時において、ガイド面１２Ｌが穴壁に当り脚体１２Ｅは、互いに接近する方向に弾性変形する。同様に脚体１４Ｅも、互いに接近する方向に弾性変形し、取付け穴２２Ａの内周部を撫でながら取付け穴２２Ａ内を移動する。
【００２７】
なお、スリット１２Ｂとスリット１４Ｃの隙は、脚体１２Ｅと脚体１４Ｅが互いに弾性変形した時に干渉しないように設けられている。
【００２８】
図７（Ｂ）に示されるように、脚体１２Ｅ及び脚体１４Ｅが取付け穴２２Ａに挿入されてハウジング３２の底板１８が基板２２上に載置されると、脚体１２Ｅ及び脚体１４Ｅの先端部に設けられた爪部１２Ｆ及び爪部１４Ｆが基板２２の下方に突出し、脚体１２Ｅ及び脚体１４Ｅの弾性力によって弾性変形した状態から自然状態に復帰する。
【００２９】
これにより、爪部１２Ｆのテーパー面１２Ｇ、及び爪部１４Ｆのテーパー面１４Ｇが基板２２の取付け穴２２Ａの下端側周縁に係合し、ハウジング３２が基板２２に仮止めされる。
【００３０】
次いで、図６（Ａ）及び（Ｂ）に示されるように、基板２２の下方から爪部１２Ｆ、１４Ｆが基板２２にはんだ４０にてはんだ付けされる。この結果、ハウジング３２が基板２２に固定される。
【００３１】
ここで、従来のように２つの爪部で基板２２に固定するコネクタ固定具と比較すると、全体としてはんだ４０とコネクタ固定具１０の爪部１２Ｆ、１４Ｆとの接合面積は約２倍となる。
【００３２】
従って、本コネクタ固定具１０は、ハウジング３２を基板２２に固定するのに十分な強度を確保することができる。
【００３３】
また、従来のように２つの爪部のみで基板２２に固定する場合には、ハウジング３２を基板２２に固定する固定強度を補強するためハウジング３２を別途基板２２へネジ止めする場合があったが、ネジ止めを廃止することも可能である。
【００３４】
また、従来のように２つの爪部で仮止めしていたときに使用していた基板２２の取付穴をそのまま使用できる。
【００３５】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、爪部１２Ｆ、１４Ｆのテーパー面１２Ｇ、１４Ｇの上下方向の位置を同じ位置に配置して、取付け穴２２Ａの内周縁と係合させたが、例えば、テーパー面１２Ｇの上下方向の位置をテーパー面１４Ｇの位置と変えることで、基板２２の板厚違いに対応させてもよい。
【００３６】
また、上記実施形態では、４つの爪部を備えたコネクタ固定具について説明したが、３つ以上の爪部を備えればよく、特に４つに限定されることはない。
【図面の簡単な説明】
【００３７】
【図１】（Ａ）本発明の実施形態に係るコネクタ固定具を示し、前方斜め上方から見た斜視図である。（Ｂ）本発明の実施形態に係るコネクタ固定具を示し、後方斜め上方から見た斜視図である。
【図２】本発明の実施形態に係るコネクタの分解斜視図である。
【図３】本発明の実施形態に係る第一固定具を示し、前方斜め上方から見た斜視図である。
【図４】本発明の実施形態に係る第二固定具を示し、前方斜め上方から見た斜視図である。
【図５】本発明の実施形態に係るコネクタの側面図である。
【図６】（Ａ）本発明の実施形態に係るコネクタ及び基板を示し、側方から見た断面図である。（Ｂ）本発明の実施形態に係るコネクタ固定具及び基板を示し、図５（Ａ）のＢ−Ｂ線断面図である。
【図７】（Ａ）本発明の実施形態に係るコネクタを基板に取り付けようとしている状態を示した斜視図である。（Ｂ）本発明の実施形態に係るコネクタと基板が取り付いた状態を示した斜視図である。
【符号の説明】
【００３８】
１０        コネクタ固定具
１２        第一固定具
１２Ａ      スリット（結合部）
１２Ｅ      脚体
１２Ｆ      爪部
１２Ｊ      爪部
１４        第二固定具
１４Ｂ      スリット（結合部）
１４Ｅ      脚体
１４Ｆ      爪部
１４Ｊ      爪部
２２        基板
３０        コネクタ
３２        ハウジング
６０        コネクタ固定具
【図１】
0004800807.tif 000002
【図２】
0004800807.tif 000003
【図３】
0004800807.tif 000004
【図４】
0004800807.tif 000005
【図５】
0004800807.tif 000006
【図６】
0004800807.tif 000007
【図７】
0004800807.tif 000008